(57)【特許請求の範囲】
【請求項１】
内部に収容空間を区画するとともに、該収容空間の開口部（２３）を有するケース部（２）と、
該収容空間に配置され、該収容空間に収容された収納状態と該開口部から突出する使用状態との間で往復動可能な外筒部（３）と、
該収容空間に配置され、該収容空間の該開口部に最も近接して位置する前記収納状態と該開口部から最も離反して位置する前記使用状態との間で往復動可能な内筒部（４）と、
該内筒部及び該外筒部を互いに異なる方向に変移させる昇降部と、
を有する昇降式容器ホルダ（１）であって、
該昇降部は、該外筒部に接続される一端部（５０）と、該内筒部に接続される他端部（５２）と、該一端部と該他端部の間で該ケース部に回転可能に支持される回転支持部（５４）と、ギア部（５７）と、を備えた板状のリンク部材（５）と、該ギア部と螺合してその回転速度を緩衝するダンパ（７）と、を有し、
該回転支持部と該一端部の距離（Ｌ１）を、該回転支持部と該他端部の距離（Ｌ２）より大きくすることにより、該外筒部の軸方向変移量（Ｌ３)を、該内筒部の軸方向変移量（Ｌ４）より大きくしたことを特徴とする昇降式容器ホルダ。
【請求項２】
前記昇降部は、前記内筒部及び前記外筒部を、前記使用状態と前記収納状態のいずれか一方の状態に付勢する付勢部材を有する請求項１記載の昇降式容器ホルダ。
【請求項３】
前記付勢部材は、前記リンク部材に付勢力を付与するバネ状部材（６）である請求項２記載の昇降式容器ホルダ。
【請求項４】
前記一端部及び前記他端部は、前記外筒部及び前記内筒部が前記往復動可能な状態で接続する請求項１〜３のいずれか１項に記載の昇降式容器ホルダ。
【請求項５】
前記一端部及び前記他端部は凹部（５１，５３）を有し、
前記外筒部及び前記内筒部は、各該凹部に先端が挿入される突起部（３２１，４２１）を有する請求項４記載の昇降式容器ホルダ。
【請求項６】
前記外筒部は、筒状部材であり、
前記内筒部は、該外筒部の軸心部で往復動するとともに底壁として機能する上面板（４１）を有する請求項１〜５のいずれか１項に記載の昇降式容器ホルダ。
【請求項７】
前記内筒部の前記上面板は、該内筒部が前記収容空間の前記開口部を塞ぐ蓋部材となる請求項６記載の昇降式容器ホルダ。
【請求項８】
前記外筒部の中心軸に対して対称な位置に二つの前記昇降部を有し、
それぞれの前記リンク部材の前記一端部（５０，５０’）が、周方向で同じ方向を向いている請求項１〜７のいずれか１項に記載の昇降式容器ホルダ。
【発明の詳細な説明】
【技術分野】
【０００１】
本発明は、容器を保持するための容器ホルダに関する。
【背景技術】
【０００２】
飲料の容器には丈の高いものから丈の低いものまで種々の形状のものがある。例えば、丈の高い容器としてはペットボトル型の容器や大径の紙コップ等を挙げることができ、丈の低い容器としては缶型の容器や小型の紙コップを挙げることができる。以下、必要に応じて、丈の高い容器を大型容器と呼び、丈の低い容器を小型容器と呼ぶ。
【０００３】
一般的な容器ホルダは、収容空間を持つケース部を持つ。収容空間は、一般には、ケース部の側壁および底壁で区画され、容器を収容可能である。収容空間に収容された容器の底面は、ケース部の底壁によって支持できる。容器の側面は、ケース部の側壁によって支持できる。
【０００４】
ところで、小型容器を収容するための浅型の収容空間に大型容器を収容する場合には、大型容器の下側部分だけが収容空間に収容され、上側部分は容器ホルダの外部上方に大きく露出する。このため、この場合には大型容器を容器ホルダで安定して支持し難い問題があった。一方、大型容器を収容するための深型の収容空間に小型容器を収容する場合には、収容空間の下側部分（つまり奥側）に小型容器がはまり込み、容器を取出し難くなる問題があった。
【０００５】
この問題に対して、近年では、容器の底面を支持する底壁の深さを変化させることで、収容空間の実質的な深さを可変する技術が提案されている。たとえば、特許文献１には、容器収容空間の少なくとも一部を形成する固定周壁部および可動底壁部と、この可動底壁部を水平姿勢に保持して可動底壁部の上下方向の位置を調節可能な位置調節機構とを備えた容器保持装置（容器ホルダ）が記載されている。
【先行技術文献】
【特許文献】
【０００６】
【特許文献１】特開２００７−１９６８８４号公報
【発明の概要】
【発明が解決しようとする課題】
【０００７】
しかしながら、引用文献１に記載の容器ホルダ（容器保持装置）では、深さ方向のスペースが要求されるという問題があった。つまり、大型容器に対応した収容空間を形成するためには、収容空間のケース部における開口部から底壁までの深さが深いことが求められ、ケース部の大型化が必要となる。しかし、近年の車両においては、車室内外の意匠性を高めるためことが求められており、車室内の容器ホルダに要求されるスペースを小さくすることが求められている。特に、容器ホルダの深さ方向の長さを短くすることが求められている。
【０００８】
また、従来の容器ホルダ（容器保持装置）では、収容空間の開口部が露出した状態となり、意匠性が悪いという問題もあった。
本発明は上記実情に鑑みてなされたものであり、深さ方向の体格が小さな容器ホルダを提供することを課題とする。
【課題を解決するための手段】
【０００９】
上記課題を解決するために本発明者らは、底壁が昇降可能な容器ホルダの構成に関して検討を重ねた結果、本発明をなすに至った。
本発明の容器ホルダは、
内部に収容空間を区画するとともに、収容空間の開口部を有するケース部と、
収容空間に配置され、開口部から収容空間の外部方向に往復動可能な外筒部と、
収容空間に配置され、開口部から収容空間の内部方向に往復動可能な内筒部と、
内筒部及び外筒部を互いに異なる方向に変移させる昇降部と、
を有する昇降式容器ホルダであって、
昇降部は、外筒部に接続される一端部と、内筒部に接続される他端部と、一端部と他端部の間でケース部に回転可能に支持される回転支持部と、を備えたリンク部材を有することを特徴とする。
【発明の効果】
【００１０】
本発明の容器ホルダは、内筒と外筒とが背向する方向に変移することで、容器が収容される収容空間の深さ（内外筒の変移方向の深さ）が変化する。この変化により、所定の深さの収容空間を形成できる。すなわち、開口部を有するケース部から突出する収容空間を形成できる。つまり、本発明の容器ホルダは、深さ方向の体格が小さな容器ホルダとなっている。
そして、内筒と外筒の変移は、昇降部のリンク部材により、同時に行われる。つまり、簡単な構成で、内外筒を同時に変移することができる。
【図面の簡単な説明】
【００１１】
【図１】実施形態１のカップホルダの使用状態での斜視図である。
【図２】実施形態１のカップホルダの本体部の斜視図である。
【図３】実施形態１のカップホルダの外筒の斜視図である。
【図４】実施形態１のカップホルダの内筒の斜視図である。
【図５】実施形態１のカップホルダのリンクの斜視図である。
【図６】実施形態１のカップホルダの収容状態での斜視図である。
【図７】実施形態２のカップホルダのリンクの正面図である。
【図８】実施形態２のカップホルダのリンクの動作を模式的に示した図である。
【図９】実施形態３のカップホルダの分解図である。
【図１０】実施形態３のカップホルダの外筒の斜視図である。
【図１１】実施形態３のカップホルダの外筒の斜視図である。
【図１２】実施形態３のカップホルダの外筒の内周面の展開図である。
【図１３】実施形態３のカップホルダの外筒の部分断面図である。
【図１４】実施形態３のカップホルダの内筒の斜視図である。
【図１５】実施形態３のカップホルダのリンクの構成を示す斜視図である。
【図１６】実施形態３のカップホルダのリンクの配置を示す上面図である。
【図１７】実施形態３のカップホルダのスイッチの構成を示す斜視図である。
【図１８】実施形態３のカップホルダのリンクの動作を示す模式図である。
【発明を実施するための形態】
【００１２】
以下、本発明の容器ホルダをカップホルダで具体化した実施形態について、図面を参照して具体的に説明する。
【００１３】
［実施形態１］
本形態のカップホルダ１は、車両のコンソールボックスに設置されるドリンクホルダである。カップホルダ１の構成を、図１〜４に示した。
図１に示したように、カップホルダ１は、本体部２，外筒３，内筒４，リンク５，バネ部材６を有する。
【００１４】
（本体部）
本体部２は、図２に示したように、上面部２０と、下面部２１と、筒部２２と、を有する。そして、本体部２２は、請求項のケース部に該当し、内部に収容空間を区画するとともに、収容空間と外部を連通する連通孔を区画する開口部を有する。
【００１５】
上面部２０は、カップホルダ１の上面を形成する板状の部材である。上面部２０は、筒部２２の一方の端部（図では上端）が接続され、筒部２２の軸芯部の空間と連通する開口部２３を有する。
【００１６】
筒部２２は、カップホルダ１において収容空間を区画する筒状の部材である。収容空間は、外筒３及び内筒４を収容するとともに、カップ（ドリンク）が収容される空間の一部を形成する空間である。筒部２２は、一方の端部が上面部２０に接続され、他方の端部（図では下端）が下面部２１に接続される。筒部２２を形成する筒状の部材は、収容空間を形成できる形状であればよく、図に示した円筒の部材であっても、角筒の部材であっても良い。
【００１７】
筒部２２は、他方の端部（下端）から一方の端部側に伸びる切り欠き２４，２５が形成されている。切り欠き２４は、外筒３の外筒係止突起部３２が貫通して組み付けられ、切り欠き２５は、内筒４の内筒係止突起部４２が貫通して組み付けられる。切り欠き２４，２５が形成される筒部２２の周縁部には、その外周面から突出して伸びるフランジ部２４０，２５０を有する。
フランジ部２４０，２５０は、カップホルダ１を組み立てたときに、リンク５の伸びる平面に向かって突出する。
【００１８】
筒部２２は、その外周面に、リンク５及びバネ部材６を支持するリンク支持突起２６を有する。リンク支持突起２６は、筒部２２の外周面から突出した棒状（円柱状）の突起である。
【００１９】
筒部２２は、他方の端部（下端）に、バネ部材６の一端が係止されるバネ係止突起２７を有する。バネ係止突起２７は、リンク支持突起２６と同じ径方向位置（円筒状の筒部２２の径方向での位置）に設けられている。バネ係止突起２７の軸方向での位置は、バネ支持突起２６の他方の端部側（下端側）にあたる。
【００２０】
下面部２１は、カップホルダ１の下面を形成する板状の部材である。下面部２１は、筒部２２の他方の端部が接続され、筒部２２の軸芯部の空間と連通する開口部を有する。下面部２１は、筒部２２の切り欠き２４，２５の端部に対応した位置には、各係止突起部３２，４２が通過可能な欠損部２１０を有する。
【００２１】
（外筒）
外筒３は、請求項の外筒部に該当し、収容空間に配置され、開口部から収容空間の外部方向に往復動可能な部材である。
【００２２】
外筒３は、図３に示したように、本体部２の収容空間に収容される筒状を有する部材（筒状部材）である。外筒３は、筒部２２の軸心の中空部の形状と略一致する外周形状を有する円筒状を有する。外筒３の軸方向の長さは、収容空間に収容可能な長さであればよく、その長さが長いほど好ましく、筒部２２の長さと同じ長さであることがより好ましい。
【００２３】
外筒３は、他方の端部（下端）から一方の端部側に伸びる切り欠き３５が形成されている。切り欠き３５は、外筒３がカップホルダ１を形成したときに、本体部２の切り欠き２５と重なる位置（及び形状）に形成される。切り欠き３５は、内筒４の内筒係止突起部４２が貫通して組み付けられる。
【００２４】
外筒３は、外周面に外筒係止突起部３２を有する。外筒係止突起部３２は、外筒３の外周面から突出した突起部であり、筒部２２の切り欠き２４に挿入され、切り欠き２４及びフランジ部２４０に沿って外筒３をガイドするため外筒係止突起本体部３２０と、外筒係止突起本体部３２０の先端面から突出する円柱状の外筒支持部３２１と、を有する。外筒係止突起部３２は、カップホルダ１を形成したときに、筒部２２の他方の端部（下端）で突出するように、外筒３の他方の端部（下端）にもうけられる。
【００２５】
（内筒）
内筒４は、請求項の内筒部に該当し、収容空間に配置され、開口部から収容空間の内部方向に往復動可能な部材である。内筒４は、図１に示したように、本体部２の収容空間及び外筒３の中空の軸心部に収容される部材である。
【００２６】
内筒４は、図４に示したように、外筒３の軸心の中空部の形状と略一致する外周形状を有する円筒状の内筒本体部４０と、内筒本体部４０の一方の端部（上端）を閉塞してもうけられた上面板４１と、内筒本体部４０の外周面にもうけられた内筒係止突起部４２と、を有する。
【００２７】
内筒４の上面板４１は、カップホルダ１の上面の意匠面を形成する（蓋部材として機能する）とともに、カップホルダ１がカップ（ドリンク）を保持するときにカップ（ドリンク）の底面を保持（支持）する底壁として機能する。
【００２８】
内筒４の内筒係止突起部４２は、内筒４の内筒本体部４０の外周面から突出した突起部であり、筒部２２の切り欠き２５及び外筒３の切り欠き３５に挿入され、切り欠き２５，３５及びフランジ部２５０に沿って内筒４をガイドするため内筒係止突起本体部４２０と、内筒係止突起本体部４２０の先端面から突出する円柱状の内筒支持部４２１と、を有する。
内筒係止突起部４２（内筒支持部４２１）は、請求項の凹部に先端が挿入される突起部に相当する。
【００２９】
内筒４の軸方向の長さは、収容空間に収容可能な長さであればよく、その長さが短いほど好ましい。内筒４の軸方向の長さは、上面板４１と内筒係止突起部４２との長さに対応し、筒部２２の切り欠き２５及び外筒３の切り欠き３５の長さにより決定される。すなわち、切り欠き２５，３５の長さが長いほど、上面板４１と内筒係止突起部４２との長さを短くすることができる。
【００３０】
（リンク）
リンク５は、請求項のリンク部材（昇降部）に該当し、内筒部及び外筒部を互いに異なる方向に変移させる。
リンク５は、図５に示したように、板状の部材である。リンク５は、外筒３に接続される一端部５０と、内筒４に接続される他端部５２と、一端部５０と他端部５２の間でケース部に回転可能に支持される回転支持部５４と、を備える。
【００３１】
一端部５０には、外筒３の外筒係止突起部３２が挿入される貫通孔５１が形成されている。貫通孔５１は、リンク５の長手方向に沿って伸びる略溝条をなしている。貫通孔５１は、挿入された外筒係止突起部３２が略溝条内で相対変移可能（相対的な回転が可能）となるように形成されている。貫通孔５１は、請求項の一端部５０の凹部に相当する。
【００３２】
他端部５２には、内筒４の内筒係止突起部４２が挿入される貫通孔５３が形成されている。貫通孔５３は、リンク５の長手方向に沿って伸びる略溝条をなしている。貫通孔５３は、挿入された内筒係止突起部４２が略溝条内で相対変移可能（相対的な回転が可能）となるように形成されている。貫通孔５３は、請求項の他端部５２の凹部に相当する。
【００３３】
回転支持部５４には、筒部２２のリンク支持突起２６が挿入される貫通孔５５が形成されている。貫通孔５５は、挿入されたリンク支持突起２６を中心に、リンク５が回転可能な状態となる形状（リンク支持突起２６の外周形状と略一致する内周形状）に形成されている。
リンク５は、バネ部材６の他端が係止されるバネ係止突起５６を有する。本形態では、バネ係止突起５６は、一端部５０にもうけられている。
【００３４】
（バネ部材）
バネ部材６は、請求項のバネ状部材（付勢部材）に該当する。
バネ部材６は、図１に示したように、ねじりバネであり、コイル軸にリンク支持突起２６が挿入され、一端が本体部２のバネ係止突起２７に、他端がリンク５のバネ係止突起５６に形成される。
【００３５】
（その他の図示しない構成）
カップホルダ１は、外筒３及び内筒４の位置を保持する位置保持手段、及び保持された位置を解除する解除手段を有する。
位置保持手段は、外筒３及び内筒４の位置を保持する手段であり、その構成が限定されない。より具体的には、位置保持手段は、カップホルダ１において、カップ（ドリンク）が保持される状態で外筒３及び内筒４の位置を保持する（特に、カップの底面と当接する内筒４の上面板４１の軸方向位置を保持する）手段である。
【００３６】
解除手段は、位置保持手段での位置の保持を解除する手段であり、その構成が限定されない。解除手段が位置保持手段での位置の保持を解除すると、バネ部材６による付勢力により、外筒３及び内筒４の位置が使用状態（図６に示した状態，カップが保持されている状態，上面板４１が下端側に変移した状態）に保持される。
【００３７】
（カップホルダの組み立て）
カップホルダ１の組み立ては、まず、本体部２の下面部２１側から筒部２２の軸心の中空部に外筒４，内筒３を挿入する。
【００３８】
外筒４，内筒３が挿入された状態では、外筒４及び内筒３は、軸方向に変移可能となっている。外筒４及び内筒３は、それぞれ切り欠き２４，２５，３５（フランジ部２４０，２５０）と各係止突起部３２，４２との作用により、ねじれを生じることなく軸方向に変移可能（往復動可能）となっている。
【００３９】
なお、請求項の「開口部から収容空間の外部方向」及び「開口部から収容空間の内部方向」の各方向は、カップホルダ１における軸方向の「下端から上端に向かう方向」及び「上端から下端に向かう方向」にそれぞれ相当する。
【００４０】
そして、リンク５の貫通孔５５に筒部２２のリンク支持突起２６が挿入されるように、リンク５を組み付ける。このとき、一端部５０の貫通孔５１には外筒３の外筒係止突起部３２（外筒支持部３２１）が挿入される。他端部５２の貫通孔５３には内筒４の内筒係止突起部４２（内筒支持部４２１）が挿入される。
【００４１】
この状態は、リンク５の一端部５０に外筒３が、他端部５２に内筒４がそれぞれ接続された状態である。この状態では、外筒３と内筒４がリンク５で接続されており、内筒４と外筒３とが、互いに異なる方向に連動して変移可能となった。
【００４２】
そして、バネ部材６を組み付ける。バネ部材６は、コイル軸にリンク支持突起２６が挿入された状態となるように組み付けられ、一端が本体部２のバネ係止突起２７に、他端がリンク５のバネ係止突起５６に、それぞれ係止して組み付けられる。
以上により、本形態のカップホルダ１が組み付けられる。
【００４３】
（カップホルダの動作）
本形態のカップホルダ１は、組み付けられた直後の状態では、図６に示したように、本体部２のバネ係止突起２７とリンク５のバネ係止突起５６と、が離反する方向にバネ部材６が付勢力を付与している。この状態は、外筒３が最も上端側に変移した状態であり、内筒４が最も下端側に変移した状態である。この状態は、カップ（ドリンク）が収容可能な状態であり、使用状態とする。
【００４４】
使用状態のカップホルダ１は、図６に示したように、外筒３は、本体部２の上面部２０から突出した状態であり、内筒４は上面部２０から沈み込んだ状態である。この状態では、外筒３の内周面，内筒４の上面板４１と、本体部２の筒部２２の内周面と、が、カップ（ドリンク）が収容される空間（カップ収容空間）を区画する。
【００４５】
区画されたカップ収容空間は、軸方向の長さが、外筒３の上端の端部から内筒４の上面板４１までの長さをもつ。この長さは、本体部２の筒部２２の軸方向の長さよりも長い。すなわち、本形態のカップホルダ１は、カップホルダ１自身の軸方向の長さに対して、軸方向の長さがより長いカップを保持できる。
本形態の使用状態のカップホルダ１は、外筒３を押し込む（軸方向で下端側に変移させる）ことで、本体部２の筒部２２に収容できる。
外筒３を押し込むと、外筒３の外筒係止突起部３２も同時に押し込まれて変移する。
【００４６】
具体的には、外筒係止突起部３２は、外筒係止突起本体部３２０が筒部２２の切り欠き２４に挿入された状態であり、外筒係止突起本体部３２０が切り欠き２４（フランジ部２４０）にガイドされて軸方向の下端方向にねじれを生じることなく変移する。
【００４７】
このとき、外筒係止突起部３２の外筒支持部３２１も同時に変移する。外筒支持部３２１はリンク５の一端部５０の貫通孔５１に挿入されており、外筒係止突起部３２の変移に追従して、リンク５の一端部５０も変移する。
【００４８】
リンク５は、回転支持部５４の貫通孔５５を中心に回転可能に支持されており、一端部５０の変移に追従して他端部５２も変移する。他端部５２の変移は、リンク５の回転であり、一端部５０の下端方向への変移と反対の上端方向への変移となる。
【００４９】
外筒３が完全に押し込まれると、外筒３は、カップホルダ１の上面部２０より内部の所定の位置に収容される。内筒４は、上端まで変移し、上面板４１が本体部２の上面部２０と略平面をなす位置まで変移する。
なお、図示されない位置保持手段により、外筒３及び内筒４の位置が保持される。
【００５０】
この状態では、内筒４は、上端まで変移し、上面板４１が本体部２の上面部２０と略平面をなす位置まで変移している。この状態は、カップ（ドリンク）が収容不可能な状態であり、収納状態とする。
【００５１】
本形態のカップホルダ１は、収納状態では、カップ収容空間となる空間が露出しなくなり、見栄えの低下が押さえられる。さらに、本形態のカップホルダ１は、カップが保持されていない状態では、上面板４１がカップホルダ１の意匠面を形成するため、意匠性が高まるという効果も発揮される。
【００５２】
そして、本形態のカップホルダ１は、カップを保持するために、収納状態から使用状態とするときには、解除手段により、位置保持手段での位置の保持を解除する。
【００５３】
位置の保持が解除されると、外筒３及び内筒４の変移が許容される。外筒３及び内筒４はリンク５に接続されており、リンク５はバネ部材６により付勢力が付与されている。リンク５に付与されている付勢力は、カップホルダ１を使用状態とする向きの力であり、位置の保持が解除されると、外筒３は最も上端側に、内筒４が最も下端側に変移した状態に変移する。すなわち、本形態のカップホルダ１が使用状態となる。
【００５４】
（本形態の効果）
以上に説明したように、本形態のカップホルダ１は、リンク５の両端に外筒３と内筒４とがそれぞれ接続されたことで、簡単な構成で、互いに異なる方向に連動して変移可能となっている。
【００５５】
そして、外筒３と内筒４とが互いに異なる方向に変移させて外筒３を上面部２０から突出させることで、形成されるカップ収容空間の軸方向の長さを長くすることができる。すなわち、本形態のカップホルダ１は、軸方向の長さが長いカップ（あるいは、ペットボトル）を保持できる。
【００５６】
さらに、本形態のカップホルダ１は、外筒３及び内筒４が使用状態となる位置にバネ部材６が付勢力を付与している。この付勢力により、カップホルダ１は、収容状態から簡単に使用状態にすることができる。
【００５７】
［実施形態２］
本形態は、リンク５（外筒３及び内筒４とリンク５との接続位置）が異なること以外は、実施形態１と同様なカップホルダ１である。本形態のリンク５を、図７に示す。
【００５８】
本形態のリンク５は、図７に示したように、回転支持部５４の貫通孔５５から一端部５０の貫通孔５１までの距離（Ｌ１）と、貫通孔５５から他端部５２の貫通孔５３までの距離（Ｌ２）が異なる。より具体的には、距離Ｌ１の方が距離Ｌ２よりも長くなるように形成されている（Ｌ１＞Ｌ２）。
【００５９】
ここで、Ｌ１及びＬ２の基準となる回転支持部５４の貫通孔５５の位置は、リンク５が回転するときの回転中心である。また、一端部５０の貫通孔５１の位置は、貫通孔５１に挿入した外筒係止突起部３２の外筒支持部３２１の軸心の位置である。他端部５２の貫通孔５３の位置は、同様に、貫通孔５３に挿入した内筒係止突起部４２の内筒支持部４２１の軸心の位置である。
【００６０】
本形態では、Ｌ１がＬ２よりも長く形成されたことで、図８に模式的に示したように、外筒３の軸方向の変移量（図８中のＬ３）を、内筒３の軸方向の変移量（図８中のＬ４）よりも多くすることができる。すなわち、外筒３が上面部２０から突出する突出量をより長くすることができる。
この結果、本形態のカップホルダ１は、カップ収容空間の軸方向の長さをより長くすることができる。
【００６１】
［変形形態１］
上記の各形態は、バネ部材６がカップホルダ１において外筒３及び内筒４を使用状態となるように付勢力を付与しているが、収容状態となるように付勢力を付与していても良い。
この場合、上記した動作と逆の動作を示す。
【００６２】
［変形形態２］
上記した各形態では、請求項の昇降部に相当するリンク５等が一つの例で説明したが、このリンク５等は、複数箇所に設けることが好ましい。複数箇所に設けることで、外筒３及び内筒４が筒部２２内で軸方向に変移するときに、軸方向からのズレの発生が抑えられる。
昇降部は、筒部２２の軸心に対して対象な位置に設けることが好ましく、２カ所又は３カ所以上でもうけることが好ましい。
【００６３】
［変形形態３］
上記した各形態では、請求項の付勢部材に相当するバネ部材６がねじりバネである例で説明したが、同様の機能を発揮できる部材であればねじりバネに限定されない。
【００６４】
［実施形態３］
本形態のカップホルダ１は、図９〜図１７に示した構成を有する。
カップホルダ１は、図９に分解図で示したように、本体部２，外筒３，内筒４，リンク５，５，バネ部材６，ダンパ７，サポート８，スイッチ９を有する。なお、本形態のカップホルダ１において、上記した各形態と同様に機能する部材には、同じ参照符号が付けられている。また、特に言及しない構成については、上記した各形態と同様であり、説明を省略する。
【００６５】
（本体部）
本体部２は、図１０に示したように、上面部２０と、筒部２２と、を有する。そして、本体部２２は、内部に収容空間を区画するとともに、収容空間と外部を連通する連通孔を区画する開口部を有する。
【００６６】
本体部２は、上面２２の上方に組み付けられ、カップホルダ１の意匠面を形成する表面板２８を更に有する。
表面板２８は、本形態のカップホルダ１の意匠面を形成する。表面板２８は、上面部２２に固定される。この固定方法は限定されるものではなく、着脱可能に係合することが好ましい。
【００６７】
上面部２２は、カップホルダ１の上面の意匠面を形成しないこと以外は、実施形態１と同様に機能する。
筒部２２は、実施形態１の筒部２２と同様な構成を有し、同様に機能する。
本形態では、筒部２２の他方の端部（下端）が、カップホルダ１の他方側の端部（下端）となる。筒部２２の他方の端部（下端）には、実施形態１と同様に板状の下面部を形成していてもよい。
【００６８】
（外筒）
外筒３は、実施形態１の外筒３と同様な構成を有し、同様に機能する。外筒３を図１１に斜視図で、内周面の展開図（図１１中のＸＩＩ−ＸＩＩ線での視認）を図１２に示した。本形態の外筒３は、切れ欠き３７により一部が切れた円環状を有している。なお、本形態では切れ欠き３７を有しているが、実施形態１と同様につながった円環状であってもよい。
外筒３の切れ欠き３７には、スイッチ９（押圧板９０）が配される。
【００６９】
外筒３は、図１２に示したように、その内周面にサポート８を揺動可能な状態で収容するサポート収容部３６を有する。
サポート収容部３６は、筒状の外筒３の外部と内部を径方向で連通する状態で形成しても、図１３に断面を示したように内周面に凹部をなすように形成しても、いずれでも良い。好ましくは、図１３に断面を示した形態である。図１３は、図１２中のＸＩＩＩ−ＸＩＩＩ線での断面図（展開図）である。
【００７０】
（サポート）
サポート８は、図１２〜１３に示したように、外筒３の周方向の湾曲形状に沿って湾曲した部材（略湾曲板状の部材）である。サポート８は、基端８０の幅が広く、先端８１の幅が狭い先細の形状を有する。サポート８は、外筒３に組み付けられた状態で軸方向の一方の端部（上端）８２が軸方向に垂直な平面に重なるように形成され、他方の端部（下端）８３は上端８２に対して傾斜したテーパ状をなして形成されている。サポート８の他方の端部（下端）８３は、外筒３に対してらせん状をなすように形成されている。
【００７１】
サポート８は、基端８０が、外筒３のサポート収容部３６の内部に、先端８１が揺動可能な状態でスプリング８４により支持されている。基端８０には、図示されない貫通孔が開口し、この貫通孔にスプリング８４が挿入される。スプリング８４の両端は、外筒３のサポート収容部３６の内部に支持・固定される。サポート８は、先端８１が軸芯方向に付勢された状態で支持される。サポート８は、径方向外方に向かう応力が加わると、径方向外方に向かって先端８１が揺動し、サポート収容部３６の内部に収容される。
サポート８は、軸方向の他方の端部（下端）８３が内筒４と当接することで、サポート収容部３６方向にガイドされ、収容される。
本形態では、サポート８が一つの形態を示したが、二つ以上としても、良い。
【００７２】
（内筒）
内筒４は、実施形態１の内筒４と同様な構成を有し、同様に機能する。内筒４を図１４に斜視図で示した。
【００７３】
（リンク）
リンク５は、図１５に示したように、板状の部材である。リンク５は、一端部５０と、他端部５２と、回転支持部５４と、ギア部５７と、係止ツメ部５８と、を備える。なお、本形態のリンク５も、上記した各形態と同様に、図示しないバネ係止突起を有する。
【００７４】
ギア部５７は、リンク５の回転支持部５４の幅方向の他方の端部に突出して形成された略半円状の部分であるギア部５７は半円状の外周面にギア５７０が形成されている。ギア５７０は、ダンパ７のギア７０と螺合し、リンク５の回転速度を緩衝する。
【００７５】
係止ツメ部５８は、リンク５の回転支持部５４の幅方向の一方の端部に形成された部分である。係止ツメ部５８は、突出した先端部に係止ツメ５８０が形成されている。係止ツメ部５８の係止ツメ５８は、スイッチ９の係止ツメ９４０と係止され、リンク５の回転（変移）を規制する。
【００７６】
本形態のカップホルダ１は、二つのリンク５，５’を、周方向で対称な位置（１８０°の位置）に有する。二つのリンク５，５’は、図１６に模式図で示したように、一端部５０から他端部５２に向かう方向が、周方向で一致する方向を向くように配置されている。
【００７７】
（スイッチ）
スイッチ９は、実施形態１の解除手段及び位置保持手段に相当する。スイッチ９は、図１７に分解図で示したように、押圧板９０と、ボタン本体部９１と、リンク部９２と、を備える。
押圧板９０は、板状を有する。そして、内径側の端部及びその近傍が、外筒３の一方の端部の切れた環状の部分で露出する。
【００７８】
ボタン本体部９１は、押圧板９０の下面に配置された略箱状の部材であり、その側面（本体部２の径方向外方に平行な側面）から突出した突起部９１０，９１０を有する。ボタン本体部９１は、軸方向（上下方向）に往復動可能に配置されている。押圧板９０が押圧されると、ボタン本体部９１が下方に変移する。
【００７９】
リンク部９２は、突起部９１０と係止ツメ５８と、を接続する。本形態では、リンク部９２は、対称な形状の２つが用いられる。
リンク部９２は、一方の端部９３が突起部９１０にガイドされる。一方の端部９３は、軸方向に沿ってのび、その先端部に突起部９１０と当接するガイド突起９３０を有する。ガイド突起部９３０は、突起部９１０と当接し、突起部９１０の変移に伴って一方の端部９３が本体部２の筒部２２に近接する方向への変移をガイドされる。本形態では、ガイド突起９３０は、突起部９１０と当接する（摺接する）上面が、突起部９１０の変移する方向に対して傾斜して形成されている。当接面が傾斜したことで、一方の端部９３が本体部２の筒部２２に近接する方向へガイドされる。
【００８０】
リンク部９２の他方の端部９４は、その先端に係止ツメ５８と係合する係止ツメ９４０を有する。
リンク部９２の一方の端部９３と他方の端部９４とは、リンク本体部９５で接続される。他方の端部９４とリンク本体部９５とは、本体部２の上面部２０の外周に沿ったＬ字状をなすように配される。そして、他方の端部９４とリンク本体部９５とが交差する部分（Ｌ字の角部）で、軸支される。
【００８１】
スイッチ９は、押圧部９０が押されると、ボタン本体部９１が下方に変移する。このとき、ボタン本体部９１の突起部９１０の表面に沿ってガイド突起９３０が変移し、リンク部９２の一方の端部９３が本体部２の筒部２２に近接する方向へ変移する。そうすると、リンク本体部９５が軸に対して揺動し、他方の端部９４も係止ツメ９４０が本体部２の筒部２２から離反する方向へ変移（揺動）する。この結果、係止ツメ５８と係合する係止ツメ９４０との係合が解除され、リンク５が回転し、外筒３及び内筒４の位置が使用状態（カップが保持可能な状態，上面板４１が下端側に変移した状態）に変移し、保持される。
【００８２】
（カップホルダの動作及び効果）
本形態のカップホルダ１は、上記したように、スイッチ９の押圧板９０を押圧する（下方に向けて押す）と、実施形態１と同様にリンク５が動作する。そして、外筒３は最も上端側に、内筒４が最も下端側に変移した状態に変移して、カップホルダ１が使用状態（カップが保持可能な状態）となる。
【００８３】
本形態では、二つのリンク５，５’は、周方向に沿って同じ向きとなるように配されている。具体的には、二つのリンク５，５’の回転支持部５４，５４’を結ぶ線（仮想線，図１６中の一点破線）は、軸心（中心軸）を通過する。図１６に模式図で上面図を示したように、この仮想線で分割される一方側に、一つのリンク５の一端部５０と、別のリンク５’の他端部５２’が位置する。また、この仮想線で分割される他方側に、一つのリンク５の他端部５２と、別のリンク５’の一端部５０’が位置する。
この構成では、図１８に模式図で示したように、一端部５０，５０’のそれぞれが同じ方向に変移（図１８では下降する方向に変移）しても、仮想線で分割される同じ側にそれぞれの一端部５０，５０’が位置していないため、仮想線の両側に同じ力が働くとともに同じ変移量で変移する。すなわち、図１８で外筒３の変移を模式的に示したように、仮想線の両側での同じ変移量となり、外筒３が傾きを生じることなく変移（下降）する。
【００８４】
以上のように、本形態のカップホルダ１は、外筒３及び内筒４の変移が、傾斜することなく軸方向に沿ってスムースに行われる。すなわち、本形態のカップホルダ１は、外筒３及び内筒４の変移をよりスムースに行うことができる。
【００８５】
さらに、本形態のカップホルダ１が使用状態にある場合、外筒３と内筒４の軸方向位置が重ならない。この場合、サポート８は、先端８１が軸芯部に向かって変移した状態が保たれる。そして、カップが挿入されると、サポート８がサポート収容部３６の内部方向に後退（変移）する。この状態では、サポート８が反対方向にカップを付勢し、カップのズレを抑える。
カップを取り外した状態で外筒３を押し込むことで、カップホルダ１は収納状態となる。このときの外筒３と内筒４の動作は、上記の形態と同様である。
【００８６】
そして、本形態では、外筒３が押し込まれて軸方向に変移すると、リンク５により内筒４の軸方向位置も変移する。そうすると、内筒４の上端面とサポート８の他方の端部（下端）８３がと当接する。サポート８の他方の端部（下端）８３は、傾斜して形成されており、この傾斜がガイドとして機能する。この結果、サポート８がサポート収容部３６の内部方向に後退（変移）し、収容される。
以上のように、本形態のカップホルダ１は、特別な機構を設けることなく、カップをサポートするサポート８をもうけることができる効果を発揮する。
【符号の説明】
【００８７】
１：カップホルダ
２：本体部
２０：上面部            ２１：下面部
２２：筒部              ２３：開口部
３：外筒
３２：外筒係止突起部    ３５：切り欠き
４：内筒
４０：内筒本体部        ４１：上面板
４２：内筒係止突起部
５：リンク
５０：一端部            ５１，５３，５５：貫通孔
５２：他端部            ５４：回転支持部
５６：バネ係止突起
６：バネ部材
７：ダンパ
８：サポート
９：スイッチ
【図１】
0006380184.tif 000002
【図２】
0006380184.tif 000003
【図３】
0006380184.tif 000004
【図４】
0006380184.tif 000005
【図５】
0006380184.tif 000006
【図６】
0006380184.tif 000007
【図７】
0006380184.tif 000008
【図８】
0006380184.tif 000009
【図９】
0006380184.tif 000010
【図１０】
0006380184.tif 000011
【図１１】
0006380184.tif 000012
【図１２】
0006380184.tif 000013
【図１３】
0006380184.tif 000014
【図１４】
0006380184.tif 000015
【図１５】
0006380184.tif 000016
【図１６】
0006380184.tif 000017
【図１７】
0006380184.tif 000018
【図１８】
0006380184.tif 000019